(57)【要約】【課題】容易な方法で取り付け可能であり、かつ、保守性に優れた発光体を実現することが難しい、という問題を解決することが出来る発光体を提供すること。【解決手段】支柱の上に設置される発光体であって、前記発光体は、前記支柱の上端部分が挿通する挿通穴を有する筐体と、当該筐体の上端側に収容される発光装置と、を含んでおり、前記挿通穴の内部には、前記発光装置を前記筐体の上端側に収容した状態で係止する係止片が形成されており、前記挿通穴の下端側に前記支柱の上端部分が挿通する。【選択図】図１
2018077970.tif 000002
【特許請求の範囲】
【請求項１】
支柱の上に設置される発光体であって、
前記発光体は、前記支柱の上端部分が挿通する挿通穴を有する筐体と、当該筐体の上端側に収容される発光装置と、を含んでおり、
前記挿通穴の内部には、前記発光装置を前記筐体の上端側に収容した状態で係止する係止片が形成されており、
前記挿通穴の下端側に前記支柱の上端部分が挿通する
発光体。
【請求項２】
請求項１に記載の発光体であって、
前記筐体は、前記支柱が挿通する第１挿通穴を有する第１筐体部と、前記第１挿通穴の内径よりも小さい内径を有する第２挿通穴を有する第２筐体部と、を連結した形状を有しており、
前記発光装置は、前記第２挿通穴に形成された前記係止片により前記第２挿通穴の内部で係止される
発光体。
【請求項３】
請求項２に記載の発光体であって、
前記第１筐体部の側面側には、リベット挿通用のリベット用貫通孔が複数設けられており、
前記筐体は、前記第１挿通穴内部に前記支柱を挿通した際に前記リベット用貫通孔に樹脂製のリベットを挿通させることで、当該筐体を前記支柱に固定可能なよう構成されている
発光体。
【請求項４】
請求項３に記載の発光体であって、
前記筐体は前記支柱よりも衝撃に対する強度が強い一方で、前記リベットは前記支柱よりも衝撃に対する強度が弱い
発光体。
【請求項５】
請求項２乃至４のいずれかに記載の発光体であって、
前記発光装置は、前記第２挿通穴の内部で係止された際に下端側に配置される中板と、上端側に配置される上板と、前記中板と前記上板の間に配置される基板と、を有しており、
前記中板と前記上板とのうちの前記基板が位置する側の面は、光を反射するよう所定の反射処理が施されている
発光体。
【請求項６】
請求項２乃至５のいずれかに記載の発光体であって、
前記第２筐体部の内面側には、前記発光装置より出射される光を拡散する複数の凸部が形成されている
発光体。
【発明の詳細な説明】
【技術分野】
【０００１】
本発明は、発光体に係り、特に、視線誘導標柱などの支柱の上部に設置される発光体に関する。
【背景技術】
【０００２】
車道の中央分離帯やセンターライン、車線変更線、車両の侵入禁止や車道と他の道路との境界線などを示すために視線誘導標柱などの支柱を設置することが知られている。
【０００３】
例えば、特許文献１には、太陽光下で白色系色調のポール本体の周囲に、第１の色調の反射シート（例えば、赤）と第２の色調の反射シート（例えば、緑）とが互いに密着せしめて巻き付けられている視線誘導標柱が記載されている。特許文献１によると、上記のように構成することで、昼間であっても夜間であっても優れた視認性を発揮することが出来る。
【０００４】
また、より視認性を増すなどの目的のため、上記のような視線誘導標柱などの支柱の上部に発光体を設置することがある。
【０００５】
例えば、特許文献２には、視線誘導標柱などの支柱の上部に設置する発光式標識装置が記載されている。具体的には、特許文献２における発光式標識装置は、支柱に取り付けられる下部ホルダーと、下部ホルダーに取り付けられるケーシングと、ケーシングの上部に取り付けられる上部ホルダーと、上部ホルダーの上面全体を覆うようにして取り付けられる発光体カバーとを有している。特許文献２によると、上部ホルダーと発光体カバーとの間に固定指示される基板は、切欠き部が設けられた枠形状となっている。このような構成により、少ない数の発光ダイオードで多数の発光ダイオードが設けられたものと同様に視認性ある燈体とすることが出来る。
【先行技術文献】
【特許文献】
【０００６】
【特許文献１】特開２００９−６２７１５号公報
【特許文献２】特開２０１５−１５１２１号公報
【発明の概要】
【発明が解決しようとする課題】
【０００７】
特許文献２には、発光体カバーは間にパッキンが嵌め込まれた状態で上部ホルダーに組付けられていると記載されている。このような構成のため、例えば基板の盗難を防ぐためには、発光体カバーを上部ホルダーに接着するなどして固定することが必要となる。その結果、発光体カバーを上部ホルダーから取り外すことが難しくなり、基板の故障などが生じた際に基板のみを交換することが難しくなるおそれがあった。また、特許文献２に記載されている発光式標識装置は、下部ホルダー、ケーシング、上部ホルダー、基板、発光体カバー、と非常に多くの部品から構成されているため、容易な方法で取り付けることが難しい、という問題が生じていた。
【０００８】
このように、容易な方法で取り付け可能であり、かつ、保守性に優れた発光体を実現することが難しい、という問題が生じていた。
【０００９】
そこで、本発明の目的は、容易な方法で取り付け可能であり、かつ、保守性に優れた発光体を実現することが難しい、という問題を解決することが出来る発光体を提供することにある。
【課題を解決するための手段】
【００１０】
かかる目的を達成するため本発明の一形態である発光体は、
支柱の上に設置される発光体であって、
前記発光体は、前記支柱の上端部分が挿通する挿通穴を有する筐体と、当該筐体の上端側に収容される発光装置と、を含んでおり、
前記挿通穴の内部には、前記発光装置を前記筐体の上端側に収容した状態で係止する係止片が形成されており、
前記挿通穴の下端側に前記支柱の上端部分が挿通する
という構成を採る。
【００１１】
この構成によると、筐体に形成された挿通穴のうち上端側に発光装置が収容され、下端側に支柱の上端部分が挿通する。このような構成により、筐体内部に発光装置を収容した後、挿通穴の下端側に支柱の上端側を挿通することで、容易に発光体を支柱の上部に設置することが出来る。また、上記のような構成によると、発光体を支柱から取り外した後、容易な方法で発光装置を筐体から取り外すことが出来る。このように、上記構成によると、容易な方法で発光体を支柱に取り付けることが可能となり、かつ、優れた保守性を有することが可能となる。
【００１２】
また、上記発光体は、
前記筐体は、前記支柱が挿通する第１挿通穴を有する第１筐体部と、前記第１挿通穴の内径よりも小さい内径を有する第２挿通穴を有する第２筐体部と、を連結した形状を有しており、
前記発光装置は、前記第２挿通穴に形成された前記係止片により前記第２挿通穴の内部で係止される
という構成を採る。
【００１３】
また、上記発光体は、
前記第１筐体部の側面側には、リベット挿通用のリベット用貫通孔が複数設けられており、
前記筐体は、前記第１挿通穴内部に前記支柱を挿通した際に前記リベット用貫通孔に樹脂製のリベットを挿通させることで、当該筐体を前記支柱に固定可能なよう構成されている
という構成を採る。
【００１４】
また、上記発光体は、
前記筐体は前記支柱よりも衝撃に対する強度が強い一方で、前記リベットは前記支柱よりも衝撃に対する強度が弱い
という構成を採る。
【００１５】
また、上記発光体は、
前記発光装置は、前記第２挿通穴の内部で係止された際に下端側に配置される中板と、上端側に配置される上板と、前記中板と前記上板の間に配置される基板と、を有しており、
前記中板と前記上板とのうちの前記基板が位置する側の面は、光を反射するよう所定の反射処理が施されている
という構成を採る。
【００１６】
また、上記発光体は、
前記第２筐体部の内面側には、前記発光装置より出射される光を拡散する複数の凸部が形成されている
という構成を採る。
【発明の効果】
【００１７】
本発明は、以上のように構成されることにより、容易な方法で取り付け可能であり、かつ、保守性に優れた発光体を実現することが難しい、という問題を解決することが出来る発光体を提供することが可能となる。
【図面の簡単な説明】
【００１８】
【図１】本発明の第１の実施形態における視線誘導標柱用発光体を視線誘導標柱に設置した際の様子の一例を示す斜視図である。
【図２】本発明の第１の実施形態における視線誘導標柱用発光体の構成の一例を示す斜視図である。
【図３】第１の実施形態における視線誘導標柱用発光体の構成の一例を示す分解図である。
【図４】第１の実施形態における視線誘導標柱用発光体の構成の一例を示す正面図である。
【図５】第１の実施形態における視線誘導標柱用発光体のＡ−Ａ線断面図である。
【図６】第１の実施形態における視線誘導標柱用発光体のＢ−Ｂ線断面図である。
【図７】第１の実施形態における視線誘導標柱用発光体のうちの中板を外した状態の底面図である。
【発明を実施するための形態】
【００１９】
＜実施形態１＞
本発明の第１の実施形態を、図１乃至図７を参照して説明する。図１は、視線誘導標柱用発光体１を視線誘導標柱４に設置した際の様子の一例を示す斜視図である。図２は、視線誘導標柱用発光体１の構成の一例を示す斜視図である。図３は、視線誘導標柱用発光体１の構成の一例を示す分解図である。図４は、視線誘導標柱用発光体１の構成の一例を示す正面図である。図５は、視線誘導標柱用発光体１のＡ−Ａ線断面図である。図６は、視線誘導標柱用発光体１のＢ−Ｂ線断面図である。図７は、視線誘導標柱用発光体１のうちの中板３１を外した状態の底面図である。
【００２０】
本実施形態においては、図１で示すように、車道の中央分離帯などの境界線を示すためなどに設置される視線誘導標柱４（ポストコーン、支柱）の上部に設置される視線誘導標柱用発光体１（発光体）について説明する。後述するように、視線誘導標柱用発光体１は、外径の異なる第１筐体部２１と第２筐体部２２とを結合した形状を有する筐体２のうちの上端側である第２筐体部２２の内部に発光装置３を収容した状態で、視線誘導標柱４の上部に設置される。
【００２１】
なお、本実施形態においては、図１及び図２のうち第２筐体部２２が配置されている側を第１筐体部２１が配置されている側から見て上側であると定義して説明する。例えば、図１の場合、視線誘導標柱用発光体１の上側内部に発光装置３が収容され、視線誘導標柱用発光体１の下部に視線誘導標柱４の上端部を挿通している様子を示している。
【００２２】
図２は、視線誘導標柱用発光体１の構成の一例を示す斜視図である。また、図３は、視線誘導標柱用発光体１の構成の一例を示す分解図である。図２、図３を参照すると、視線誘導標柱用発光体１は、外径の異なる第１筐体部２１と第２筐体部２２とを結合した形状を有する筐体２と、中板３１と基板３２と上板３３とを含む発光装置３と、から構成されている。
【００２３】
図２で示すように、発光装置３は筐体２の上端側に位置する第２筐体部２２の内部に収容することが出来る。また、図３で示すように、第２筐体部２２（視線誘導標柱用発光体１）の内部に収容された発光装置３は、筐体２の下端側から取り外すことが出来る。後述するように、筐体２は視線誘導標柱４が挿通する挿通穴を有しており、発光装置３は筐体２に形成された挿通穴の上端側に収容されることになる。
【００２４】
図３、図４を参照すると、筐体２は、略円柱形状の第１筐体部２１の上方に、上端側が湾曲している略円柱形状であり平面視で第１筐体部２１よりも小さな外径を有する第２筐体部２２を連結した形状を有している。また、図５のＡ−Ａ断面図で示すように、筐体２には、当該筐体２の下端側から上方へ向かって挿通穴が形成されている。具体的には、筐体２のうち第１筐体部２１に相当する部分には第１挿通穴２１１が形成されており、第２筐体部２２に相当する部分には第２挿通穴２２１が形成されている。また、第１筐体部２１に形成された第１挿通穴２１１と第２筐体部２２に形成された第２挿通穴２２１とは滑らかに連結している。筐体２をこのように形成することで、筐体２の下端側から第１挿通穴２１１を介して、第２挿通穴２２１の内部に発光装置３を収容することが出来る。なお、第１挿通穴２１１及び第２挿通穴２２１は、例えば、各挿通穴が形成されている筐体の外径に応じた内径を有している。例えば、本実施形態においては、第２挿通穴２２１は第１挿通穴２１１よりも平面視で小さい内径を有している。
【００２５】
図４、図５を参照すると、第２筐体部２２に形成される第２挿通穴２２１（つまり、筐体２のうちの上側）の側面には、第２挿通穴２２１の内表面から筐体２の内部に向かって水平方向に突出する下側係止片２２２（係止片）と上側係止片２２３（係止片）とがそれぞれ複数（単数でも構わない。例えば、４つ）形成されている。つまり、第２挿通穴２２１の内表面下側には下側係止片２２２が例えば４つ形成されており、第２挿通穴２２１の内表面上側には上側係止片２２３が例えば４つ形成されている。後述するように、発光装置３を構成する各構成要素のうち、中板３１が下側係止片２２２で係止され、上板３３が上側係止片２２３で係止される。これにより、発光装置３は第２挿通穴２２１の内部で係止されることになる。
【００２６】
また、図２乃至図６で示すように、第２筐体部２２に形成された第２挿通穴２２１の内表面には、筐体２の内側に向かって突出する円弧状の凸部２２４（光拡散用凸部）が複数形成されている。第２挿通穴２２１の内表面に複数の凸部２２４を形成することで、発光装置３が発する光を拡散させることが出来る。その結果、発光装置３が出射する光をより広範囲に拡散させることが可能となる。
【００２７】
なお、本実施形態においては、図４、図７で示すように、上述した上側係止片２２３、下側係止片２２２のうち、上側係止片２２３は凸部２２４に形成されており、下側係止片２２２は凸部２２４が形成されている箇所よりも下側に形成されている。上側係止片２２３、下側係止片２２２は、本実施形態で例示した箇所以外に形成されていても構わない。
【００２８】
また、図３乃至図５を参照すると、第１筐体部２１には、筐体２の外側から内側に向かって（つまり、第１筐体部２１の厚み方向に向かって）貫通するリベット貫通孔２１２が例えば４つ形成されている。筐体２の下方に位置する第１筐体部２１に視線誘導標柱４の上端部を挿通した後リベット貫通孔２１２にリベットを挿通することで、筐体２（つまり、視線誘導標柱用発光体１）を視線誘導標柱４に固定することになる。
【００２９】
なお、リベット貫通孔２１２に挿通するリベットは、樹脂製（例えば、耐候性ＡＥＳ（acrylonitrile・ethylene-propylene-diene・styrene）樹脂）のリベットを用いることが望ましい。視線誘導標柱用発光体１を視線誘導標柱４に取り付ける際にビスなどの金属部材を用いると、交通事故などによる破損時に、金属部材が怪我やパンクなどの２次被害の原因となるおそれがある。視線誘導標柱用発光体１を視線誘導標柱４に取り付ける際に樹脂製のリベットを用いることで、上記おそれを低減させることが可能である。
【００３０】
また、本実施形態におけるリベットは、頭部の中央付近に凹み部が形成されており、当該凹み部に所定の工具を押し込むことで簡単に当該リベットを壊すことが出来るよう構成されている。リベットをこのように構成することで、リベットにより視線誘導標柱用発光体１を視線誘導標柱４に設置した後、容易な方法で視線誘導標柱用発光体１を視線誘導標柱４から取り外すことが可能となる。
【００３１】
発光装置３は、当該発光装置３が第２挿通穴２２１内部で係止された際に下端側に配置される中板３１と、上端側に配置される上板３３と、中板３１と上板３３の間に配置される基板３２と、を含んでいる（図３参照）。
【００３２】
図３で示すように、中板３１は、例えば、平面視で略円形の形状を有している。また、中板３１の側面には、凹部である中板切欠部３１１が例えば４箇所形成されている。中板切欠部３１１は第２筐体部２２に形成される下側係止片２２２の形成箇所に応じた箇所に形成されている。中板切欠部３１１を下側係止片２２２の形成箇所に合わせた状態で中板３１を上部へと挿通させることで、下側係止片２２２に係止されずに中板３１を第２挿通穴２２１の上部へと挿通させることが出来る。また、その状態で中板３１を水平方向に回転させることで、中板３１のうち中板切欠部３１１が形成されていない箇所の下方に下側係止片２２２を接触させることができ、下側係止片２２２により中板３１を係止することが可能となる。
【００３３】
また、図３で示すように、中板３１の所定箇所には、上下方向（中板３１の厚み方向）に向かって貫通する指挿入用孔３１２が形成されている。指挿入用孔３１２は、上述した中板３１を回転させる際に用いることが出来る。指挿入用孔３１２に指を挿入した状態で中板３１を回転させることで、容易に中板３１を回転させることが可能となる。なお、指挿入用孔３１２には、指を挿通させることになり、また、指を挿通させた状態で中板３１を回転させることになる。そのため、指挿入用孔３１２は、真円形状よりも指を差し込みやすい形状（例えば、楕円形状など）とすることが望ましい。
【００３４】
また、中板３１のうち上側の面上には、上方に向かって延出する中板柱３１３が例えば４本形成されている。中板３１は、中板柱３１３と後述する上板３３に形成される上板柱３３３とを間に基板３２を挟んだ状態で連結することで、上板３３と連結する。なお、中板柱３１３と上板柱３３３とは、例えば、一方の側端部に形成された凸部を他方の側端部に形成された凹部内部に挿入することで連結する。このような構造のため、中板柱３１３と上板柱３３３との連結状態は容易に解除することが可能であり、中板柱３１３と上板柱３３３との間に挟まれた基板３２を容易に取り外すことも可能である。
【００３５】
基板３２は、例えば、平面視で略四角形の形状を有している。基板３２の４隅には、当該基板３２の厚み方向に貫通する貫通孔が形成されている。基板３２に形成された貫通孔に中板柱３１３又は上板柱３３３の一方に形成された凸部を挿通することで、中板柱３１３と上板柱３３３とは、間に基板３２を挟んだ状態で連結することが可能となる。
【００３６】
図５、図７で示すように、基板３２の下側所定位置には、発光ダイオード３２１が設けられている。例えば、基板３２を形成する四角形のうち各辺の端部真ん中付近それぞれに発光ダイオード３２１が設けられている。つまり、基板３２のうちの４方向に発光ダイオード３２１が設けられている。また、図４、図５で示すように、基板３２の上部には、例えば円柱形状の蓄電池３２２が配置されている。
【００３７】
蓄電池３２２は、後述する上板３３の上部に配置された太陽電池３３２と接続されており、太陽電池３３２によって発電された電気を蓄電する。また、蓄電池３２２は、発光ダイオード３２１と接続されている。発光ダイオード３２１は、蓄電池３２２から電気の供給を受けることで、所定の波長の光を出射する（発光ダイオード３２１が出射する光の波長については特に限定しない）。なお、発光ダイオード３２１は、太陽電池３３２から直接電気の供給をうけることで所定の波長の光を出射するよう構成しても構わない。
【００３８】
なお、基板３２（又は上板３３）上には、図示しない光センサを配置することが出来る。光センサを設けることで、例えば、周囲が暗くなった場合にのみ発光ダイオード３２１が点灯するよう構成することが可能となる。光センサとしての機能は、発光ダイオード３２１に持たせても構わない。
【００３９】
図３で示すように、上板３３は、例えば、平面視で略円形の形状を有している。また、上板３３の側面には、上板切欠部３３１が例えば４箇所形成されている。上板切欠部３３１は第２筐体部２２に形成される上側係止片２２３の形成箇所に応じた箇所に形成されている。上板切欠部３３１を上側係止片２２３の形成箇所に合わせた状態で上板３３を上部へと挿通させることで、上側係止片２２３に係止されずに上板３３を第２挿通穴２２１の上部へと挿通させることが出来る。また、その状態で上板３３を回転させることで、上板３３のうち上板切欠部３３１が形成されていない箇所の下方に上側係止片２２３を接触させることができ、上側係止片２２３により上板３３を係止することが可能となる。なお、上述したように、上板３３は後述する上板柱３３３を介して下板３１と連結されている。そのため、下板３１を回転させることで、下板３１の回転と一緒に上板３３も回転することになる。
【００４０】
図３で示すように、上板３３の上側の面上には、例えば平面視で略長方形状の太陽電池３３２が配置されている。上述したように、太陽電池３３２は、発光ダイオード３２１や蓄電池３２２と接続することが出来る。
【００４１】
また、上板３３のうち下側の面には、下方に向かって延出する上板柱３３３が例えば４本形成されている。上述したように、上板３３は、上板柱３３３と中板柱３１３とを間に基板３２を挟んだ状態で連結することで、中板３１と連結することが出来る。
【００４２】
なお、図４で示すように、本実施形態においては、上板３３は中板３１よりも平面視で少し径の小さな円形の形状を有している。これは、第２筐体部２２には凸部２２４が形成されているためである。
【００４３】
以上が、視線誘導標柱用発光体１の構成の一例である。
【００４４】
ここで、筐体２とリベットと視線誘導標柱４との具体的な素材の種類や物性を比較した物性比較表の一例を表１に示す。ただし、表１は、あくまで筐体２とリベットと視線誘導標柱４の種類や物性の一例を示している。筐体２とリベットと視線誘導標柱４の種類や物性が下記表１で示す場合に限定されないことはいうまでもない。
【表１】
2018077970.tif 000003
なお、表１のうち、引張降状応力は、材料が破損しない目安を示している。曲げ弾性率は、変形のしにくさの値を示している。曲げ強度は、破壊に至るまでの最大荷重を基に算出した曲げ応力の値を示している。ノッチ付きシャルピー衝撃強さは、対象の両端を支え、ノッチ部の背面をハンマーで打撃させたときの破壊する値を示している。ロックウェル硬度は、押し込みの硬さを示している。荷重たわみ温度は、温度を上げてたわみの大きさが一定になる値を示している。線膨張係数は、温度上昇により物体の長さが膨張するときの割合を示している。
【００４５】
表１を参照すると、筐体２の方が視線誘導標柱４より曲がりにくく、また、引張、曲げ、衝撃により壊れにくくなっている。つまり、筐体２の方が視線誘導標柱４よりも頑丈である。また、筐体２よりもリベットの方が引張、曲げ、衝撃により壊れやすい。そのため、事故などにより衝撃が生じた際には、筐体２よりも先にリベットが壊れることになる。その結果、筐体２は視線誘導標柱４から外れることとなり、筐体２まで壊れるおそれを低減させることが出来る。
【００４６】
また、表１で示すように、傾向としては、リベットの強度の方が視線誘導標柱４の強度よりも強い。一方で、ノッチ付きシャルピー衝撃強さに関しては、視線誘導標柱４の方がリベットよりも高い値を有している。これは、ウレタンは柔らかい為に弾性がありハンマー等による衝撃を吸収する特性がある一方で、リベットについては、硬度が高いが故に衝撃には弱くなるからである。また、ノッチ付きシャルピー衝撃強さに関して、筐体２は、リベットや視線誘導標柱４よりも高い値を有している。つまり、筐体２は視線誘導標柱４よりも衝撃に対する強度が強い一方で、リベットは視線誘導標柱４よりも衝撃に対する強度が弱い。筐体２とリベットと視線誘導標柱４とをこのように構成することで、例えば事故などにより衝撃が生じた際には、筐体２や視線誘導標柱４が壊れるよりも先にリベットが壊れることになる。その結果、筐体２まで壊れるおそれを低減させることが可能となり、壊れた筐体２による２次損害の発生を抑制することが可能となる。
【００４７】
また、表１を参照すると、筐体２、リベットの方が視線誘導標柱４よりも耐熱性が高く熱による膨張がしにくくなっている。つまり、本実施形態における筐体２、リベットは、一般的な視線誘導標柱４よりも熱に強くなっている。
【００４８】
このように、視線誘導標柱用発光体１は、筐体２と発光装置３とを有している。また、筐体２には挿通穴が形成されており、下側係止片２２２及び上側係止片２２３が形成されている。このような構成により、筐体２のうちの上端側である第２筐体部２２の内部に発光装置３を収容した状態で、下側係止片２２２及び上側係止片２２３により、発光装置３を容易に係止することが出来る。そして、第２筐体部２２の内部に発光装置３を係止した状態で、視線誘導標柱４の上端部を筐体２のうちの下端側である第１筐体部２１の内部に挿通する。その後、リベット貫通孔２１２に樹脂製のリベットを挿通することで、筐体２（つまり、視線誘導標柱用発光体１）を視線誘導標柱４に設置する。これにより、容易な方法で、視線誘導標柱用発光体１を視線誘導標柱４に設置することが出来る。
【００４９】
なお、従来では、視線誘導標柱４の上端部を切断して視線誘導標柱４の内部に視線誘導標柱用発光体１を挿通した状態で、金属製のビスなどにより、視線誘導標柱用発光体１を視線誘導標柱４に固定することが一般的に行われていた。本実施形態において説明した視線誘導標柱用発光体１によると、視線誘導標柱４に対してリベット挿通用の貫通孔を設けるだけで視線誘導標柱用発光体１を視線誘導標柱４に取り付けることが出来る為、取付けを行う際に現場で必要な作業が少なくなり、容易な取付けを行うことが可能となる。
【００５０】
また、本実施形態によると、（例えばリベットを壊すことで）視線誘導標柱４に対する設置状態を解除した後、例えば指挿入用孔３１２に指を挿入して中板３１を回転させることで（上述したように、上板３３も回転する）、下側係止片２２２及び上側係止片２２３による係止状態を解除して、発光装置３を筐体２から容易に取り外すことが出来る。その結果、例えば、基板３２や太陽電池３３２などを容易に取り外すことが可能となり、基板３２や太陽電池３３２など発光装置３を構成する各部材のいずれかに何らかの故障が生じた際にも、容易な方法で故障が生じた部分のみを取り換えることが可能となる。
【００５１】
なお、本実施形態における視線誘導標柱用発光体１は、その外形において、角ばった部分を有しておらず、各角部は湾曲している。視線誘導標柱用発光体１は、外部に設置されるため、例えば児童などが触るおそれがある。本実施形態における視線誘導標柱用発光体１のように角ばった部分を有さない筐体２を採用することで、児童などが触れた際に怪我をするおそれを低下させることが可能である。
【００５２】
また、本実施形態においては、筐体２は外径の異なる第１筐体部２１と第２筐体部２２とを結合した形状を有するとした。しかしながら、筐体２は、必ずしも外径の異なる第１筐体部２１と第２筐体部２２とを結合した形状を有していなくても構わない。筐体２は、例えば、下端側から上方に向かって挿通穴を有する円柱形状などであっても構わない。つまり、第１筐体部２１と第２筐体部２２の外径は同じであっても構わない。また、本実施形態においては、発光装置３全体が第２筐体部２２の第２挿通穴２２１内部に収容されるとしたが、例えば、中板３１など発光装置３の一部が第１筐体部２１の第１挿通穴２１１内部に残った状態で係止されるよう構成しても構わない。
【００５３】
また、中板３１及び上板３３のうち基板３２側の面には、銀メッキや銀塗装など、光を反射する反射処理を施すことも考えられる。反射処理は、例えば中板３１の面のみなど、上記のうちいずれか一方のみに施しても構わない。このように構成することで、発光ダイオード３２１から出射される光をより効率的に外部に出射することが可能となる。
【００５４】
また、本実施形態においては、視線誘導標柱用発光体１は、視線誘導標柱４の上部に設置されるとした。しかしながら、視線誘導標柱用発光体１が設置される対象は、視線誘導標柱４に限定されない。視線誘導標柱用発光体１は、視線誘導標柱４以外の様々な支柱の上に設置して構わない。
【００５５】
また、本実施形態においては、第２筐体部２２には、下側係止片２２２と上側係止片２２３とが形成されているとした。しかしながら、第２筐体部２２には、下側係止片２２２と上側係止片２２３とのいずれか一方が形成されていれば、必ずしも両方が形成されていなくても構わない。
【００５６】
以上、上記各実施形態を参照して本願発明を説明したが、本願発明は、上述した実施形態に限定されるものではない。本願発明の構成や詳細には、本願発明の範囲内で当業者が理解しうる様々な変更をすることが出来る。
【符号の説明】
【００５７】
１  視線誘導標柱用発光体
２  筐体
２１  第１筐体部
２１１  第１挿通穴
２１２  リベット貫通孔
２２  第２筐体部
２２１  第２挿通穴
２２２  下側係止片
２２３  上側係止片
２２４  凸部
３  発光装置
３１  中板
３１１  中板切欠部
３１２  指挿入用孔
３１３  中板柱
３２  基板
３２１  発光ダイオード
３２２  蓄電池
３３  上板
３３１  上板切欠部
３３２  太陽電池
３３３  上板柱
４  視線誘導標柱
【図１】
2018077970.tif 000004
【図２】
2018077970.tif 000005
【図３】
2018077970.tif 000006
【図４】
2018077970.tif 000007
【図５】
2018077970.tif 000008
【図６】
2018077970.tif 000009
【図７】
2018077970.tif 000010